(57)【要約】      （修正有）【課題】  不用意な押し下げが皆無となり、人体の切断事故を回避できる画期的で実用性の高い手動式切断装置の提供。【解決手段】  基台１にアーム枢動部２を介して枢着させた操作用押下アーム３と、ブレーキ付モータ４と接続された切断カッター５と、ワーク固定用治具６と、基台１と操作用押下アーム３とに弾性を付与すると共に操作用押下アーム３のストッパーと成るコイルスプリング装置７とを備え、基台１にストッパー用レバー枢動部を介装してストッパー用レバーを枢着させ、ストッパー用レバーには可動側Ａに一定の開角度で係止するストッパー用段部と把持部を設け、ストッパー用レバーの側面には絶えず可動側Ａに弾性を付与するようにレバー用コイルスプリングを張設したことを特徴とするものである。【選択図】図１
2008142879.tif 000002
【特許請求の範囲】
【請求項１】
基台にアーム枢動部を介して枢着させた操作用押下アームと、該操作用押下アームと共に移動する可動側に固定した駆動源のブレーキ付モータと機械的に接続されてワークを切断する円板状の切断カッターと、該切断カッターで切断されるワークを挟持する基台に設けられたワーク固定用治具と、前記基台と前記操作用押下アームとを絶えず一定の開角度に保持するように弾性を付与すると共に操作用押下アームの最下限のストッパーと成るコイルスプリング装置とを備え、前記操作用押下アームを前記コイルスプリング装置の弾性に抗して押し下げを開始することによりリミットスイッチをＯＮさせてブレーキ付モータを駆動させ切断カッターが回転してワークを切断する手動式切断装置において、前記基台にストッパー用レバー枢動部を介装してストッパー用レバーを枢着させ、該ストッパー用レバーの先端辺には前記可動側に一定の開角度で係止するストッパー用段部と先端に把持部を設け、前記ストッパー用レバーの側面には絶えず可動側に弾性を付与するようにレバー用コイルスプリングを張設したことを特徴とする手動式切断装置。
【請求項２】
前記基台に支持杆を立設させて、該支持杆の先端辺に固定具を介装してミスト切削油噴霧装置を固定し、該ミスト切削油噴霧装置のミスト切削油を切断カッターに噴霧するミスト切削油噴霧装置のミスト切削油を切断カッターに噴霧する電磁エアバルブを備え、該電磁エアバルブの先端に給油用チューブを配設したことを特徴とする請求項１に記載の手動式切断装置。
【発明の詳細な説明】
【技術分野】
【０００１】  本発明は、人力により操作用押下アームを押し下げることにより、チップソー等の切断カッターでワークを切断する手動式切断装置に関するものであり、更に詳細には、主に、アルミニウム等の軽金属のワークである長い押し抜き材の切断、或いは、ダイガスト製品の湯口を電動のチップソー等の切断カッターで切断するのに好適な手動式の大型で高速の切断装置に関するものである。
【背景技術】
【０００２】  この種の手動式切断装置は、各種開発されて従来から現場や工場等で容易に使用できることから、軽金属、合成樹脂、木材、鉄筋等を切断するために汎用されているが、電動で回転するチップソー等の切断カッター、つまり、円板状の鋸刃で切断するために誤った操作をすると非常に危険なものであり、その為に一人で操作して安全に万全を期しているが、不注意から事故が絶えないのが実情であり、その抜本的な解決手段は成されていないのが現状である。【０００３】  例えば、先に開示されている手動式切断装置として、固定アームと被加工物を挟持する固定装置とを有する基台と、前記固定アームの一端に軸承されて一方に回転刃を設け他方に該回転刃を駆動するモータを設けた可動アームとからなり、前記基台に前記被加工物を覆うカバーを回動自在に取付けると共に、前記可動アームの一端または前記固定アームを支点に該可動アームに支持されて取付けた送りハンドルの一端のいずれか一方に前記カバーを回動させる押圧片を設けてある。この切断装置の送りハンドルの上下動に連動して、カバーを被加工物に被せたり解除させたりすることができるため、カバーを別に操作することを不要にし、能率的に切断作業を行うことができるもの（特許文献１参照）や、本発明は、回転する鋸刃により切断材料を切断できる安全カバー付高速切断機において、鋸刃が切断材料側に下降しないときには鋸刃の下側半円部を覆うようになっており且つ鋸刃が切断材料側に下降するときには鋸刃の下側半円部の覆いをとるように回転軸を介して回動できる駆動式安全カバーを設置して成るもの（特許文献２参照）が開示されている。
【特許文献１】実開平７−３３５３０号公報
【特許文献２】特開平１０−２０２４２３号公報
【発明の開示】
【発明が解決しようとする課題】
【０００４】  然し乍ら、特許文献１では、基台に前記被加工物を覆うカバーを回動自在に取付けると共に、可動アームの一端または固定アームを支点に該可動アームに支持されて取付けた送りハンドルの一端のいずれか一方に前記カバーを回動させる押圧片を設けてある。この切断装置の送りハンドルの上下動に連動して、カバーを被加工物に被せたり解除させたりすることができるため、カバーを別に操作することを不要にし、能率的に切断作業を行うことができるものであり、特許文献２では、鋸刃が切断材料側に下降しないときには鋸刃の下側半円部を覆うようになっており且つ鋸刃が切断材料側に下降するときには鋸刃の下側半円部の覆いをとるように回転軸を介して回動できる駆動式安全カバーを設置して成るものであり、何れも切粉や切断破砕部の飛散を防止して安全を図るものであり、抜本的な回転する切断刃に対しての安全は配慮されていないものである。
【課題を解決するための手段】
【０００５】  本発明は前記課題に鑑み、鋭意研鑽の結果、これらの課題を解決するもので、請求項１に記載の手動式切断装置は、基台にアーム枢動部を介して枢着させた操作用押下アームと、操作用押下アームと共に移動する可動側に固定したブレーキ付モータと切断カッターと、切断カッターで切断されるワークを挟持する基台に設けられたワーク固定用治具と、基台と操作用押下アームとを絶えず一定の開角度に保持する共に操作用押下アームの最下限のストッパーと成るコイルスプリング装置とを備え、操作用押下アームをコイルスプリング装置の弾性に抗して押し下げを開始することによりリミットスイッチをＯＮさせてブレーキ付モータを駆動させ切断カッターがワークを切断する手動式切断装置において、基台にストッパー用レバー枢動部を介装してストッパー用レバーを枢着させ、ストッパー用レバーにはストッパー用段部と把持部を設け、ストッパー用レバーの側面には絶えず可動側に弾性を付与するようにレバー用コイルスプリングを張設したものである。【０００６】  更に、請求項２に記載の手動式切断装置は、請求項１に記載の手動式切断装置において、基台に支持杆を立設させて、支持杆に固定具を介装してミスト切削油噴霧装置を固定し、ミスト切削油噴霧装置のミスト切削油を切断カッターに噴霧する電磁エアバルブを備え、電磁エアバルブの先端にた給油用チューブを配設したものである。
【発明の効果】
【０００７】  本発明の手動式切断装置は、前述の如く、基台にストッパー用レバー枢動部を介装してストッパー用レバーを枢着させ、ストッパー用レバーには可動側に一定の開角度で係止するストッパー段部と把持部を設け、ストッパー用レバーの側面には絶えず可動側に弾性を付与したレバー用コイルスプリングを張設したことにより、切断後に操作用押下アームが一定の開角度までコイルスプリング装置により跳ね上げられると、ストッパー用レバーのストッパー段部が可動側に係止して不用意な押し下げが皆無となり、人体の切断事故を回避できるもので、画期的で実用性の高い有効な発明である。
【発明を実施するための最良の形態】
【０００８】  以下、本発明の手動式切断装置の実施例を図面によって、具体的に説明すると、図１は本発明の手動式切断装置の実施例の概要を説明するための側面概要図であり、図２は本発明の手動式切断装置の実施例の概要を説明するための正面説明図であり、図３は本発明の手動式切断装置の実施例の要部を図示した説明図である。【０００９】  本発明は、人力により操作用押下アームを押し下げることにより、チップソー等の切断カッターでワークＷを切断する手動式切断装置に関するものであり、更に詳細には、主に、アルミニウム等の軽金属のワークＷである長い押し抜き材の切断、或いは、ダイガスト製品の湯口を電動のチップソー等の切断カッターで切断するのに好適な手動式の大型で高速の切断装置に関するものであり、請求項１に記載の手動式切断装置は、基台１にアーム枢動部２を介して枢着させた操作用押下アーム３と、該操作用押下アーム３と共に移動する可動側Ａに固定した駆動源のブレーキ付モータ４と機械的に接続されてワークＷを切断する円板状の切断カッター５と、該切断カッター５で切断されるワークＷを挟持する基台１に設けられたワーク固定用治具６と、前記基台１と前記操作用押下アーム３とを絶えず一定の開角度に保持するように弾性を付与すると共に操作用押下アーム３の最下限のストッパーと成るコイルスプリング装置７とを備え、前記操作用押下アーム３を前記コイルスプリング装置７の弾性に抗して押し下げを開始することによりリミットスイッチ８をＯＮさせてブレーキ付モータ４を駆動させ切断カッター５が回転してワークＷを切断する手動式切断装置において、前記基台１にストッパー用レバー枢動部９を介装してストッパー用レバー１０を枢着させ、該ストッパー用レバー１０の先端辺には前記可動側Ａに一定の開角度で係止するストッパー用段部１０ａと先端に把持部１０ｂを設け、前記ストッパー用レバー１０の側面には絶えず可動側Ａに弾性を付与するようにレバー用コイルスプリング１１を張設したことを特徴とするものである。【００１０】  更に、請求項２に記載の手動式切断装置は、請求項１に記載の手動式切断装置において、前記基台１に支持杆１２を立設させて、該支持杆１２の先端辺に固定具を介装してミスト切削油噴霧装置１３を固定し、ミスト切削油噴霧装置１３のミスト切削油を切断カッター５に噴霧する電磁エアバルブ１４を備え、電磁エアバルブ１４の先端にた給油用チューブ１５を配設したことを特徴とするものである。
【実施例】
【００１１】  即ち、本発明の手動式切断装置は、基台１、ワーク固定用治具６等の固定側と、操作用押下アーム３、ブレーキ付モータ４、切断カッター５等の可動側Ａとを枢動自在としているものである。【００１２】  そして、基台１は、下面に移動可能とするキャスターを備え、上面には後述するワーク固定用治具６と、後述する操作用押下アーム３の基端を枢動可能に枢着するアーム枢動部２、及び、ストッパー用レバー枢動部９とを備えているものである。【００１３】  次に、操作用押下アーム３は棒状のもので先端側に手動ハンドルを備え、基端側は前記基台１にアーム枢動部２を介して枢着させたもので、後述するブレーキ付モータ４と切断カッター５とを一体的に固定して可動側Ａを構成しているものである。【００１４】  次いで、切断カッター５は、例えば、円板状のもので例えばアルミダイガスト品、亜鉛ダイガスト品等の専用超硬チップソーであり、インバータを介装することで切断するワークＷに合わせて回転数とチップソー等の切断カッター５を代えることも可能なもので、回転軸に固定されると共に、切粉飛散防止用カバーで覆われており、回転軸が駆動源のブレーキ付モータ４と機械的に接続されて回転すると共に、操作用押下アーム３に固定され、操作用押下アーム３を手動により押し下げることで共に移動してワークＷを切断するものである。【００１５】  更に、ワーク固定用治具６は、基台１の上面に設けられチップソー等の切断カッター５で切断されるアルミダイガスト品等のワークＷを挟持するものであり、前後方向に螺進させる螺子棒を回動させることで一対の挟持片の間の間隔を調整させてワークＷを挟むもので、また、切断の長さを調整するためのストッパーネジも付設可能な周知のものである。【００１６】  更には、コイルスプリング装置７は、コイルスプリングを介装する上下の支持杆１２から成り、上の支持杆１２は可動側Ａに固定され、下の支持杆は基台１に固定され、基台１と可動側Ａつまり操作用押下アーム３とを絶えず一定の開角度に保持するように弾性を付与すると共に、操作用押下アーム３を操作して弾性に抗してワークＷを切断するために押し下げて最下限に成った時に可動側Ａつまり操作用押下アーム３のストッパーと成るもので、操作用押下アーム３を弾性に抗して押し下げるとコイルスプリングは圧縮され、一定の長さまで圧縮されとコイルスプリングはそれ以上圧縮されなくなるものである。【００１７】  次に、リミットスイッチ８は、操作用押下アーム３をコイルスプリング装置７のコイルスプリングの弾性に抗して押し下げを開始することによりリミットスイッチで電磁開閉器をＯＮさせてブレーキ付モータ４を駆動させて切断カッター５を回転させるものであり、また、リミットスイッチ８は、操作用押下アーム３がコイルスプリング装置７のコイルスプリングの弾性により、一定の開角度に戻ったときはＯＦＦにさせて、ブレーキ付モータ４の駆動を停止させるものである。【００１８】  そして、ストッパー用レバー１０は、上方が拡巾とした略楔状のもので、基端を基台１にストッパー用レバー枢動部９を介装してを枢着させ、後述するストッパー段部と把持部１０ｂを設けているものである。【００１９】  次いで、ストッパー段部は、ストッパー用レバー１０の先端辺に形成されており、可動側Ａを一定の開角度で係止するものであり、実施例では、ブレーキ付モータ４と切断カッター５とを接続した回転軸のカバーに係止させているものである。【００２０】  更に、把持部１０ｂは、操作用押下アーム３の先端に設けているもので、後述するレバー用コイルスプリング１１の弾性に抗して操作用押下アーム３を枢動させるためのものである。【００２１】  更には、レバー用コイルスプリング１１は、ストッパー用レバー１０の側面と可動側Ａに張設しているものであり、弾性を絶えず可動側Ａに付与してストッパー用レバー１０を可動側Ａに移動させようとするものである。【００２２】  そして、支持杆１２は、基台１に立設させた棒状のもので、ミスト切削油噴霧装置１３は中にミスト切削油用を充填させており支持杆１２の先端辺に固定具を介装して固定しており、更に、電磁エアバルブ１４は固定具に備えられ、ミスト切削油噴霧装置１３に充填されたミスト切削油を切断カッター５に噴霧するもので、給油用チューブ１５は電磁エアバルブ１４と切断カッター５とを連繋させており、給油用チューブ１５の先端にミスト切削油を切断カッター５に噴霧する噴射口を備えているものである。【００２３】  即ち、本発明の手動式切断装置は、不使用状態では基台１と可動側Ａとは図１に図示する如く、コイルスプリング装置７の弾性により絶えず一定の開角度に保持されているもので、この状態では、ストッパー用レバー１０はレバー用コイルスプリング１１の弾性により可動側Ａに牽引され、ストッパー用段部１０ａが可動側Ａの下面に係止され、操作用押下アーム３は枢動が不可能と成っているものである。【００２４】  そして、ワーク固定用治具６にワークＷを挟持して切断する場合は、ストッパー用レバー１０の先端の把持部１０ｂをレバー用コイルスプリング１１の弾性に抗して手前に引きストッパー用段部１０ａを可動側Ａの下面から外すと同時に、操作用押下アーム３をコイルスプリング装置７の弾性に抗して押し下げるものである。【００２５】  そうすると、可動側Ａの可動を検知してリミットスイッチ８がＯＮしてブレーキ付モータ４が駆動し切断カッター５が回転するもので、更に、押し下げることにより切断カッター５がワークＷを切断するものである。【００２６】  切断が完了すると、操作用押下アーム３の最下限まで移動するとコイルスプリング装置７がストッパーとなり、コイルスプリング装置７のコイルスプリングの弾性により可動側Ａがアーム枢動部２を中心として枢動して上方に跳ね上げられると同時に、可動側Ａと側面とが当接しておりレバー用コイルスプリング１１により弾性を付与されたストッパー用レバー１０のストッパー用段部１０ａは再び可動側Ａの下面に係止されるもので、リミットスイッチ８は一定の開角度になると検知してＯＦＦと成りブレーキ付モータ４の駆動を停止するもので、ブレーキ付モータ４は危険防止の観点から電源が切断されると回転を瞬時に停止させるブレーキ機能を備えたものである。【００２７】  また、電源の入力状態、つまり、可動できる状態で有ることを使用者が確認できるように、付設されているインバータ仕様が可能とした電気制御ボックス１６にパイロ��トランプ１７を備えて点灯させているものである。
【産業上の利用可能性】
【００２８】  本発明は、基台にストッパー用レバー枢動部を介装してストッパー用レバーを枢着させ、ストッパー用レバーには可動側に一定の開角度で係止するストッパー段部と把持部を設け、ストッパー用レバーの側面には絶えず可動側に弾性を付与したレバー用コイルスプリングを張設したことにより、切断後に操作用押下アームが一定の開角度までコイルスプリング装置により跳ね上げられると、ストッパー用レバーのストッパー段部が可動側に係止して不用意な押し下げが皆無となり、安全な手動式切断装置を提供するものである。
【図面の簡単な説明】
【００２９】
【図１】  図１は本発明の手動式切断装置の実施例の概要を説明するための側面概要図である。
【図２】  図２は本発明の手動式切断装置の実施例の概要を説明するための正面説明図である。
【図３】  図３は本発明の手動式切断装置の実施例の要部を図示した説明図である。
【符号の説明】
【００３０】Ｗ      ワーク
Ａ      可動側
１      基台
２      アーム枢動部
３      操作用押下アーム
４      ブレーキ付モータ
５      切断カッター
６      ワーク固定用治具
７      コイルスプリング装置
８      リミットスイッチ
９      ストッパー用レバー枢動部
１０    ストッパー用レバー
１０ａ  ストッパー用段部
１０ｂ  把持部
１１    レバー用コイルスプリング
１２    支持杆
１３    ミスト切削油用タンク
１４    電磁エアバルブ
１５    給油用チューブ
１６    電機制御ボックス
１７    パイロットランプ
【図１】
2008142879.tif 000003
【図２】
2008142879.tif 000004
【図３】
2008142879.tif 000005